(57)【特許請求の範囲】
【請求項１】
押し下げ動作でスイッチの接続や遮断をして機器の操作をする操作ボタンを前面に配設した筐体を有する電子機器において、前記筐体の重心位置より上方の側面に前面から背面に亘る凹部を具備し、
前記凹部は、前記筐体の重心位置から上方に４０ミリメートル以内の位置に形成され、
前記操作ボタンのうち使用頻度の高い操作ボタンは前記筐体の左右の側面から５０ミリメートル以内の位置に配設されると共に前記凹部の上方に２０ミリメートル以内の位置に配設されることを特徴とする電子機器。
【請求項２】
押し下げ動作でスイッチの接続や遮断をして機器の操作をする操作ボタンを前面に配設した筐体を有する電子機器において、
縦断面が曲面であり前記筐体の背面に両側面に亘って形成され前記筐体の重心位置から上方に６０ミリメートル以内の位置にある凸部を具備し、
前記操作ボタンのうち使用頻度の高い操作ボタンは、前記筐体の上端からの距離が前記筐体の上端から前記凸部までの距離と同じであると共に前記筐体の左右の側面から５０ミリメートル以内の位置に配設されることを特徴とする電子機器。
【請求項３】
押し下げ動作でスイッチの接続や遮断をして機器の操作をする操作ボタンを前面に配設した筐体を有する電子機器において、
前記筐体の重心位置から上方に４０ミリメートル以内の位置の側面に前面から背面に亘って形成される凹部と、縦断面が曲面であり前記筐体の背面に両側面に亘って形成され前記凹部の位置から上方に２０ミリメートル以内の位置にある凸部を具備し、
前記操作ボタンのうち使用頻度の高い操作ボタンは、前記筐体の上端からの距離が前記筐体の上端から前記凸部までの距離と同じであると共に前記筐体の左右の側面から５０ミリメートル以内の位置に配設されることを特徴とする電子機器。
【請求項４】
請求項１乃至請求項３記載の電子機器において、電子機器は、携帯用の音声ガイド装置であり、
前記使用頻度の高い操作ボタンは、音声の再生ボタン、音声の停止ボタン、次の音声を再生する次ボタン及び前の音声を再生する前ボタンであることを特徴とする電子機器。
【請求項５】
請求項１乃至請求項３記載の電子機器において、電子機器は、遠隔操作を行う送信装置であり、
前記使用頻度の高い操作ボタンは、再生ボタン、早送りボタン、巻き戻しボタン、停止ボタン及び一時停止ボタンであることを特徴とする電子機器。
【発明の詳細な説明】
【０００１】
【発明の属する技術分野】
本発明は、操作ボタンを前面に配設した筐体を有する電子機器に関し、筐体を片手で把持し、把持した手で操作ボタンが操作される電子機器に関する。
【０００２】
【従来の技術】
押し下げ動作でスイッチの接続や遮断をして機器の操作をする操作ボタンを前面に配設した筐体を有する電子機器の一例として、携帯用の音声ガイド装置で説明する。
【０００３】
音声ガイド装置は、筐体内部に記憶媒体を有し、記憶媒体に記憶されたガイド音声を筐体の前面に配置された操作ボタンを操作して再生し、イヤホン等でガイド音声を聞くように成っている。
【０００４】
操作ボタンは、再生するガイド音声を選択するための番号ボタン、番号ボタンによって選択されたガイド音声の再生を開始するための再生ボタン、再生中のガイド音声を停止するための停止ボタン、再生中のガイド音声の次、または前のガイド音声の再生を開始するための次ボタン、前ボタンなどにより構成される。
【０００５】
音声ガイド装置は、再生を開始した後は、各ガイド音声の終了後に次ボタンを押すことにより次のガイド音声を再生することができる。
したがって、再生ボタン、停止ボタン、次ボタン、前ボタンは使用頻度が高く、番号ボタンは使用頻度が低い。
使用頻度の高い操作ボタンは、使用頻度の低い操作ボタンより、ボタンの形状を大きくしたり、異なる外形にしたり、色を変えるなどして目立たせ、押しやすいようにしていた。
【０００６】
音声ガイド装置を片手で把持する場合、音声ガイド装置の重心位置が中指の付け根付近に位置すると、音声ガイド装置の把持は安定する。
音声ガイド装置を安定した状態に把持して、把持した手で操作ボタンを操作する場合は、親指にて行う。
【０００７】
従来の音声ガイド装置では、前述のように、使用頻度の高い操作ボタンの形状等に特徴を持たせて使用頻度の低い操作ボタンより押しやすいように成されていても、使用頻度の高い操作ボタンの位置が、音声ガイド装置を把持した親指から遠く離れた位置にあると、操作するために音声ガイド装置を持ち替えたり、もう一方の手で操作したりしなければならない煩雑さが有った。
【０００８】
【発明が解決しようとする課題】
本発明は、電子機器を片手で把持した状態でも、把持した手で操作ボタンの操作を容易に行うことができる電子機器を得ることを目的としている。
【０００９】
【課題を解決するための手段】
上記課題を解決するために、本願の請求項１記載の発明は、押し下げ動作でスイッチの接続や遮断をして機器の操作をする操作ボタンを前面に配設した筐体を有する電子機器において、前記筐体の重心位置より上方の側面に前面から背面に亘る凹部を具備し、前記凹部は、前記筐体の重心位置から上方に４０ミリメートル以内の位置に形成され、前記操作ボタンのうち使用頻度の高い操作ボタンは前記筐体の左右の側面から５０ミリメートル以内の位置に配設されると共に前記凹部の上方に２０ミリメートル以内の位置に配設されることを特徴としている。
【００１０】
また、本願の請求項２記載の発明は、押し下げ動作でスイッチの接続や遮断をして機器の操作をする操作ボタンを前面に配設した筐体を有する電子機器において、縦断面が曲面であり前記筐体の背面に両側面に亘って形成され前記筐体の重心位置から上方に６０ミリメートル以内の位置にある凸部を具備し、前記操作ボタンのうち使用頻度の高い操作ボタンは、前記筐体の上端からの距離が前記筐体の上端から前記凸部までの距離と同じであると共に前記筐体の左右の側面から５０ミリメートル以内の位置に配設されることを特徴としている。
【００１１】
また、本願の請求項３記載の発明は、押し下げ動作でスイッチの接続や遮断をして機器の操作をする操作ボタンを前面に配設した筐体を有する電子機器において、前記筐体の重心位置から上方に４０ミリメートル以内の位置の側面に前面から背面に亘って形成される凹部と、縦断面が曲面であり前記筐体の背面に両側面に亘って形成され前記凹部の位置から上方に２０ミリメートル以内の位置にある凸部を具備し、前記操作ボタンのうち使用頻度の高い操作ボタンは、前記筐体の上端からの距離が前記筐体の上端から前記凸部までの距離と同じであると共に前記筐体の左右の側面から５０ミリメートル以内の位置に配設されることを特徴としている。
【００１２】
また、本願の請求項４記載の発明は、請求項１乃至請求項３記載の電子機器において、電子機器は、携帯用の音声ガイド装置であり、前記使用頻度の高い操作ボタンは、音声の再生ボタン、音声の停止ボタン、次の音声を再生する次ボタン及び前の音声を再生する前ボタンであることを特徴としている。
【００１３】
また、本願の請求項５記載の発明は、請求項１乃至請求項３記載の電子機器において、電子機器は、遠隔操作を行う送信装置であり、前記使用頻度の高い操作ボタンは、再生ボタン、早送りボタン、巻き戻しボタン、停止ボタン及び一時停止ボタンであることを特徴としている。
【００１５】
したがって、電子機器に設けた側面の凹部や背面の凸部によって電子機器を把持する位置が決定されるとともに、把持した手の親指で、操作ボタンを操作することができる。
【００１６】
【発明の実施の形態】
本発明の実施の形態について図を用いて説明する。
図１は、本発明の電子機器の一実施例である音声ガイド装置の斜視図、図２は図１の音声ガイド装置の正面図、図３は、音声ガイド装置を片手で把持する場合の親指の位置を示す概略図である。
以下図１から図３を用いて本発明の一実施例である音声ガイド装置について説明する。
【００１７】
音声ガイド装置１は、筐体１１の前面に配置された操作ボタン１２、１３、再生中のガイド音声番号等を表示する表示窓１４、ガイド音声を聞くためのイヤホン１５により構成されている。
また、筐体１１の側面に、前面から背面に亘る凹部１６，１７を設けている。
【００１８】
上述した操作ボタンは、使用頻度の高い操作ボタン１２と、使用頻度の低い操作ボタン１３とに分かれる。
使用頻度の高い操作ボタン１２には、再生ボタン２１、停止ボタン２２、次ボタン２３、前ボタン２４、音量を大きくする音量大ボタン２５、音量を小さくする音量小ボタン２６が有る。
また、使用頻度の低い操作ボタン１３には、再生するガイド音声を選択する番号ボタンが有る。
【００１９】
筐体１１の側面に設けた凹部１６，１７は、筐体１１を前面から見たとき、音声ガイド装置１の重心位置１８から上方に４０ミリメートル以内に設けられる。
使用頻度の高い操作ボタン１２は、筐体１１の左右両側面から５０ミリメートル以内で、且つ、凹部１６，１７から上方に２０ミリメートル以内に配置される。
【００２０】
上述のような配置にするのは、音声ガイド装置１を片手で把持し、把持した手で使用頻度の高い操作ボタン１２を操作する場合の親指と他の指との位置関係による。
図３に示すように、中指のつけねから人差し指の上側までの距離は約４０ミリメートルで、親指のつけねから指先の腹までの距離は約５０ミリメートルであり、音声ガイド装置１を片手で把持した場合、親指の腹は、人差し指の上側から上方に約２０ミリメートルとなる。
【００２１】
筐体１１の両側面に設けた凹部１６，１７に親指のつけねと人差し指をおいて音声ガイド装置１を左手で把持すると、音声ガイド装置１の重心位置１８が中指のつけね付近となり、安定した状態で音声ガイド装置１を把持できる。
音声ガイド装置１を左手で把持すると、親指の腹は図２に示す次ボタン２３の上にくる。
【００２２】
そして、親指は中指のつけね付近まで移動することが可能なので、音量大ボタン２５を簡単に操作することができる。
また、親指を曲げることで前ボタン２４や音量小ボタン２６の操作を行うことができる。
【００２３】
したがって、使用頻度の高い操作ボタン１２全てを、音声ガイド装置１を把持した左手の親指で簡単に操作することができる。
また、右手で音声ガイド装置１を把持した場合も、使用頻度の高い操作ボタン１２全てを親指で簡単に操作することができる。
【００２４】
本発明の電子機器の他の実施例をコンパクトディスクプレーヤ（以下ＣＤプレーヤと呼ぶ）の遠隔操作を行う送信装置（以下リモコンと呼ぶ）で説明する。
図４は本実施例のＣＤプレーヤのリモコンの斜視図、図５は本実施例のＣＤプレーヤのリモコンの正面図である。
【００２５】
リモコン４１は、筐体４２の前面に配置された操作ボタン４３、４４、リモコン４１を操作して操作信号をＣＤプレーヤに送信する送信部４５により構成されている。
また、筐体４２の背面には、縦断面が曲面からなり両側面に亘る凸部４６を設けている。
【００２６】
上述した操作ボタンは、使用頻度の高い操作ボタン４３と、使用頻度の低い操作ボタン４４とに分かれる。
使用頻度の高い操作ボタン４３は、再生するトラックを選択する番号ボタンが有る。
また、使用頻度の低い操作ボタン４４には、ＣＤを繰り返し再生するリピートボタン５１、任意のトラックを選択して再生するプログラムボタン５２、ＣＤに記録されている曲の順番を自動的に入れ替えて再生するランダムボタン５３等がある。
【００２７】
筐体４２の背面に設けた凸部４６は、上下方向の幅４６ａが約２０ミリメートル程度、背面から突出する頂部までの高さは８ミリメートル程度で両側面に亘って形成され、リモコン４１の重心位置４７から上方に６０ミリメートル以内に設けられる。
使用頻度の高い操作ボタン４３は、筐体４２の前面で左右両側面から５０ミリメートル以内で、且つ、筐体４２の上面から凸部４６までの距離と、筐体４２の上面から使用頻度の高い操作ボタン４３までの距離を同じにして配置される。
【００２８】
上述のような配置にするのは、ＣＤプレーヤのリモコン４１を片手で把持し、把持した手で使用頻度の高い操作ボタン４３を操作する場合の親指と他の指との位置関係による。
【００２９】
筐体４２の背面に設けた凸部４６の下側に人差し指をおいて、リモコン４１を左手で把持すると、リモコン４１の重心位置４７が中指のつけね付近となり、安定した状態でリモコン４１を把持できる。
リモコン４１を左手で把持すると、親指の腹は図５に示す番号ボタンの「４」の上にくる。
【００３０】
そして、親指は中指のつけね付近まで移動することが可能なので、番号ボタンの「８」を簡単に操作することができる。
また、親指を曲げることで番号ボタンの「１」や番号ボタンの「９」の操作を行うことができる。
【００３１】
したがって、使用頻度の高い操作ボタン４３全てを、リモコン４１を把持した左手の親指で簡単に操作することができる。
また、右手でリモコン４１を把持した場合も、使用頻度の高い操作ボタン４３全てを親指で簡単に操作することができる。
【００３２】
本発明の電子機器のさらに他の実施例をビデオデッキの遠隔操作を行う送信装置（以下リモコンと呼ぶ）で説明する。
図６は本実施例のビデオデッキのリモコンの斜視図、図７は本実施例のビデオデッキのリモコンの正面図である。
【００３３】
リモコン６１は、筐体６２の前面に配置された操作ボタン６３、６４、リモコン６１を操作して操作信号をビデオデッキに送信する送信部６５、ビデオデッキに送信する送信内容を表示する表示窓６６により構成されている。
また、筐体６２の側面に、前面から背面に亘る凹部６７，６８を設けている。
また、筐体６２の背面には、縦断面が曲面からなり両側面に亘る凸部６９を有し、凸部６９の下側の端部は、凹部６７，６８の上側の端部に接続するように形成されている。
【００３４】
上述した操作ボタンは、使用頻度の高い操作ボタン６３と、使用頻度の低い操作ボタン６４とに分かれる。
使用頻度の高い操作ボタン６３は、再生ボタン７１、早送りボタン７２、巻き戻しボタン７３、停止ボタン７４、一時停止ボタン７５が有る。
また、使用頻度の低い操作ボタン６４には、録画ボタン７６、スロー再生ボタン７７、早送り再生ボタン７８、チャンネル切換ボタン７９等がある。
【００３５】
筐体６２の側面に設けた凹部６７，６８は、筐体６２を前面から見たとき、リモコン６１の重心位置７０から上方に４０ミリメートル以内に設けられる。
そして、筐体６２の背面に設けた凸部６９は、筐体６２を前面から見たとき、上下方向の幅が約２０ミリメートル程度で、リモコン６１の重心位置７０から上方に６０ミリメートル以内に設けられる。
【００３６】
使用頻度の高い操作ボタン６３は、筐体６２の左右両側面から５０ミリメートル以内で、且つ、凹部６７，６８から上方に２０ミリメートル以内、凸部６９と対向する前面に配置される。
【００３７】
上述のような配置にするのは、ビデオデッキのリモコン６１を片手で把持し、把持した手で使用頻度の高い操作ボタン６３を操作する場合の親指と他の指との位置関係による。
【００３８】
筐体６２の両側面に設けた凹部６７，６８に親指のつけねと人差し指をおいてリモコン６１を左手で把持すると、背面に設けた凸部６９の下側に人差し指が位置するので、把持しやすくなる。
そして、リモコン６１の重心位置７０が中指のつけね付近となり、安定した状態でリモコン６１を把持できる。
【００３９】
リモコン６１を左手で把持すると、親指の腹は図７に示す早送りボタン７２の上にくる。
そして、親指は中指のつけね付近まで移動することが可能なので、一時停止ボタン７５を簡単に操作することができる。
また、親指を曲げることで巻き戻しボタン７３の操作を行うことができる。
【００４０】
したがって、使用頻度の高い操作ボタン６３全てを、リモコン６１を把持した左手の親指で簡単に操作することができる。
また、右手でリモコン６１を把持した場合も、使用頻度の高い操作ボタン６３全てを親指で簡単に操作することができる。
【００４１】
【発明の効果】
本発明によれば、電子機器を把持する位置が決定されるとともに、把持した手の親指で、操作ボタンの操作を行うことができる電子機器を提供することができる。
【図面の簡単な説明】
【図１】本発明の電子機器の一実施例を示す斜視図である。
【図２】本発明の電子機器の一実施例を示す正面図である。
【図３】本発明の電子機器を片手で把持する場合の親指の位置を示す概略図である。
【図４】本発明の電子機器の他の実施例を示す斜視図である。
【図５】本発明の電子機器の他の実施例を示す正面図である。
【図６】本発明の電子機器のさらに他の実施例を示す斜視図である。
【図７】本発明の電子機器のさらに他の実施例を示す正面図である。
【符号の説明】
１    音声ガイド装置                  １１    筐体
１２    操作ボタン                      １３    操作ボタン
１４    表示窓                          １５    イヤホン
１６    凹部                            １７    凹部
１８    重心位置                        ２１    再生ボタン
２２    停止ボタン                      ２３    次ボタン
２４    前ボタン                        ２５    音量大ボタン
２６    音量小ボタン
４１    リモコン                        ４２    筐体
４３    操作ボタン                      ４４    操作ボタン
４５    送信部                          ４６    凸部
４７    重心位置
５１    リピートボタン                  ５２    プログラムボタン
５３    ランダムボタン
６１    リモコン                        ６２    筐体
６３    操作ボタン                      ６４    操作ボタン
６５    送信部                          ６６    表示窓
６７    凹部                            ６８    凹部
６９    凸部                            ７０    重心位置
７１    再生ボタン                      ７２    早送りボタン
７３    巻き戻しボタン                  ７４    停止ボタン
７５    一時停止ボタン                  ７６    録画ボタン
７７    スロー再生ボタン                ７８    早送り再生ボタン
【図１】
0003761350.tif 000002
【図２】
0003761350.tif 000003
【図３】
0003761350.tif 000004
【図４】
0003761350.tif 000005
【図５】
0003761350.tif 000006
【図６】
0003761350.tif 000007
【図７】
0003761350.tif 000008